(57)【要約】【課題】従来の体を載せる健康具は、弾性保持力で骨盤や脊柱の動きに抵抗を与える健康具であったり、電気や空気圧等の外力で自分の意に沿わず骨盤や脊柱を動かし、その反作用で筋肉を使う健康具であった。これらは、骨盤や脊柱周り等の筋肉を鍛えるトレーニング具としては適するが、長時間座っている等の片寄った姿勢負担による骨盤や脊柱周りの硬くなった筋肉をほぐしたり、ゆがんだりずれた骨格を正常化すると共に、健康促進を図る体載健康具としては不向きであった。【解決手段】骨盤や脊柱周りの筋肉に負荷を掛けず、また電気や空気の外部動力を使わず、体の重心移動で自分の意のままに体を載せる体載板の上面を傾けたり、歳差運動を自由自在に行い、ほぼ無負荷で骨盤や脊柱を振ったり、すりこぎ運動して、硬くなった筋肉をほぐすと共に、骨格のゆがみやずれを正常化して健康促進が図れる体載健康具を提供する。【選択図】図１
2007283044.tif 000002
【特許請求の範囲】
【請求項１】
基台と体を載せる体載板との間に前記体載板を傾動自在に支持するゴムやバネ等の自由自在に曲げられる弾性体からなる支点柱を設け、前記体載板に載せた体の体重移動で前記体載板を全方位に自由自在に傾けて体を振る運動が出来、また傾けた前記体載板を載せた体の体重移動で歳差運動をさせ、体のすりこぎ運動が出来る事を特徴とした体載健康具。
【請求項２】
体を載せる体載板の下面中央位置に傾動自在の支点球体部を設け、前記体載板に載せた体の体重移動で前記体載板を全方位に自由自在に傾けて体を振る運動が出来、また傾けた前記体載板を載せた体の体重移動で歳差運動をさせ、体のすりこぎ運動が出来る事を特徴とした体載健康具。
【請求項３】
体を載せる体載板の下面中央位置に設けた傾動自在の支点球体部に受皿を設けた事を特徴とした請求項２記載の健康具。
【発明の詳細な説明】
【技術分野】
【０００１】  本発明は、体を載せる体載健康具に関し、より詳言すれば、健康具に載せた体の重心移動により自分の体重を利用して健康具を楽に揺動や歳差運動させ、骨盤と脊柱のずれ・歪み・偏位の矯正と筋肉のほぐしを行い、内臓障害も含めた病気の起こりにくい体に整え、健康の促進を図ると共に、シェイプアップにも効果がある体載健康具に関する。
【背景技術】
【０００２】  従来の一般的に普及している体載健康具は、電気で動く座台に跨るものがある（例えば、松下電工株式会社のジョ−バ）。図１９（イ）により説明すると、電気で座台１４を動かす乗馬マシ−ンＭであり、座台１４に跨って乗り、自分の意思に関係なく電動でお尻を前後左右に動かして体を振る。
また、弾力ボ−ルに腰掛けるものもある。図１９（ロ）により説明すると、弾力性のある大きなボ−ルである弾力ボ−ル１５に腰掛けて自分の意思でお尻を前後左右に動かして体を振る。【０００３】  なお、人が腰掛ける座板の傾動動作に抵抗を与える健康座具もある（例えば、特許文献１参照。）。また、複数のエア−バックにより座面の傾斜や揺動を行う健康椅子もある（例えば、特許文献２参照。）。
【特許文献１】特開２００３−２１０６１１号  公報
【特許文献２】特開２０００−２４５５６５号  公報
【発明の開示】
【発明が解決しようとする課題】
【０００４】  前述した従来の体載健康具である図１９（イ）で図示した電気で動く台座に跨る乗馬マシンＭでは、自分の意思で体を振らないため、意図しない動きに対してバランスを取ろうとして反射的に力が入り筋肉を使う。従って、筋肉トレーニングには適するが、力を入れずに骨格や筋肉を自由自在に動かして骨盤・脊柱・関節の正常化と筋肉のほぐしには適さない。また、使用時の拘束時間が必要であり、更に装置が大きく、動く運動量も大きいため、家庭や職場で仕事をしながら気軽に体載健康具を使用できないという欠点があった。【０００５】  また、図１９（ロ）で図示した従来の弾力ボ−ルの体載健康具は、自分の意思であまり力を入れずに骨格や筋肉を自由自在に動かす事が出来るため、骨盤・脊柱・関節の正常化と筋肉のほぐしに適するが、転げ落ちる危機感がある。また、危機感で気が散る事と弾力ボ−ルが大きく、更に使用時間の拘束もあるため、家庭や職場で仕事をしながら気軽に体載健康具を使用できないという欠点があった。【０００６】  健康座具（特開２００３−２１０６１１号）は、人が腰掛ける座板には弾性保持力で抵抗が与えられた状態になっているため、座板に腰掛けて傾動動作するには、弾性保持力に打ち勝つ力が必要である。従って、腰椎を支える筋肉トレ−ニングなど腰掛けたときの腰椎周りの筋肉の緊張緩和と鍛錬の健康座具であり、骨盤・脊柱・関節など骨格全体の正常化と筋肉のほぐしには適さないという欠点があった。【０００７】  また健康椅子（特開２０００−２４５５６５号）は、複数のエア−バックに気体を制御して注入し、自分の意思で座る座面を傾斜させる機構で、装置が複雑になると共に非常に高価なものとなる。また、腰掛けたときの腰椎周りの限定した健康椅子であり、骨盤・脊柱・関節など骨格全体の正常化と筋肉のほぐしには適さないという欠点があった。また、使用する拘束時間が必要である。【０００８】  本発明は、このような従来の欠点を解決しょうとするものであり、家庭や職場で無理な姿勢や長時間同じ姿勢等で体が疲れたとき仕事中でも手軽に使用でき、骨盤・脊柱・関節など骨格全体の正常化と筋肉のほぐしに適する体載健康具の提供を目的とするものである。
【課題を解決するための手段】
【０００９】  パソコンの画像表示端末作業など長時間同じ姿勢を強いられると、体の様々な部位に大きな負担がかかり、筋肉の硬直や骨格のずれにより腰痛・肩こりなど内臓も含めていろいろな症状（ＶＤＴ症候群）起こる。この対策としては筋肉に負荷を掛けないでよく動かすと血行がよくなり、硬くなった筋肉が柔らかくなってほぐされる。また、骨格も筋肉が柔らかくなった状態でバランスのよい反復運動をすると正常位置に収まって矯正される。従って、体を健康具に載せて健康具の動きに任せる体載健康具は、載せた体に対してほぼ無負荷で自由自在に動く事が必要課題である。【００１０】  前記の課題を解決して目的を達成するためには、体載健康具の体を載せる体載板を無負荷で自由自在に傾斜出来る様にして、載せた体の筋肉を使うことなく体載板の傾斜する傾動と共に体が無負荷で自由自在に振ったり、まわしたりできる様にする。【００１１】  第１の課題解決手段は、体載健康具の体を載せる体載板の下面と台である基台の上面との間にゴムやスプリングの様に自由自在に曲げられる物質を支点柱として配設して、体載板が体重移動で傾動自在になる様にしたものである。ゴム等の空気袋の支点柱も含む。【００１２】  第２の課題解決手段は、体裁健康具の体を載せる体載板の下面中央部に球体部を設けて、この球体部の転がりで体載板がほぼ無負荷で傾動自在になる様にしたものである。【００１３】  第３の課題解決手段は、第２の課題解決手段の体載板の下面中央部に設けた球体部に受皿を設けてユニバーサルジョイントにしたものである。
【発明の効果】
【００１４】  以上詳述した様に本発明の体載健康具は、体を載せる体載板は力を入れなくとも傾ける事が出来るため、筋肉を使わないで体を振ったり、まわしたりの反復運動ができる。従って、長時間同じ姿勢等で硬直した筋肉をリラックスした状態で振りほぐす事が出来るため、血流がよくなり、凝って硬くなった筋肉が柔らかくほぐされる。また、筋肉が柔らかくなると硬直した筋肉によってずれていた骨も元に戻る。更に、脊柱と骨盤をバランスのよい反復振り運動や反復歳差運動することにより、歪んだ骨格が矯正されて正常化される。【００１５】  また本発明の体載健康具は、体の僅かな重心移動で体重を利用した運動のため、電気・空気などの外部動力は一切使わない。従って、構造が簡単・小型・軽量で職場や家庭などに於いて何時でも、何処でも座布団の感覚で手軽に安全に使える。特に、長時間椅子に座る仕事の人は仕事中にも使用できて時間の拘束がない。【００１６】  このように、本発明の体載健康具は、体を載せて骨盤と脊柱をほぼ無負荷で振ったり、歳差運動をする健康具であるため、骨格の正常化、筋肉のほぐし、血行促進、新陳代謝の活発化さらに内臓の機能強化となる。特に、パソコン操作のＶＤＴ症候群や長時間自動車を運転している人の腰痛や肩凝り予防など、今の体をあまり動かさない仕事社会に適した国民的な健康維持に寄与する非常に効果的な体載健康具の発明である。
【発明を実施するための最良の形態】
【００１７】  以下、本発明の実施の形態を図１〜図１８に基づいて詳細に説明する。尚、この実施例を説明するにあたって従来の構成と同一部分には同一符号を付けて述べる。
【実施例１】
【００１８】  図１は本発明の請求項１に於ける体載健康具Ｔの一実施例の斜視図で、体を載せる体載板１の下面中央部と台である基台２の上面中央部との間に、自由自在に曲げることが出来るゴムからなるゴム支点柱３を固定配設した。尚、ゴム空気袋支点柱も含まれる。図２は、図１の体載健康具ＴのＡ−Ａ線断面図で構造を明示したものである。【００１９】  以上の構成からなる請求項１に於ける一実施例の体載健康具Ｔの作用を具体的に、図３に基づいて以下説明する。図３（イ）は、体載健康具Ｔを椅子４１に載せ、体載健康具Ｔの体載板１に腰掛けて水平にした体載健康具Ｔが作用していない状態を右側面図で示したものである。図３（ロ）は、体Ｈの重心を前に移動して体重を前に移し、ゴム支点柱３を前に曲げて体載板１を前に傾斜した状態を右側面図で示したものである。体載板１が前傾斜することにより骨盤Ｋも前傾斜し、脊柱Ｓも前に倒れる。バランスを取るため、頭部（図示せず）を後に移動して体を起こすと脊柱Ｓは後に曲がって反り返る。図３（ハ）は、体Ｈの重心を後に移動して体重を後に移し、ゴム支点柱３を後に曲げて体載板１を後に傾斜した状態を右側面図で示したものである。体載板１が後傾斜することにより骨盤Ｋも後傾斜し、脊柱Ｓも後に倒れる。バランスを取るため、頭部（図示せず）を前に移動して体を起こすと脊柱Ｓは前に曲がる。図３（ニ）は、体載健康具Ｔを椅子４１に載せ、体載健康具Ｔの体載板１に腰掛けて水平にした体載健康具Ｔが作用していない状態を背面図で示したものである。図３（ホ）は、体Ｈの重心を右に移動して体重を右に移し、ゴム支点柱３を右に曲げて体載板１を右に傾斜した状態を背面図で示したものである。体載板１が右傾斜することにより骨盤Ｋも右傾斜し、脊柱Ｓも右に倒れる。バランスを取るため、頭部（図示せず）を左に移動して体を起こすと脊柱Ｓは左に曲がる。図３（ヘ）は、体Ｈの重心を左に移動して体重を左に移し、ゴム支点柱３を左に曲げて体載板１を左に傾斜した状態を背面図で示したものである。体載板１が左傾斜することにより骨盤Ｋも左傾斜し、脊柱Ｓも左に倒れる。バランスを取るため、頭部（図示せず）を右に移動して体を起こすと脊柱Ｓは右に曲がる。図３（ト）は、図３（ヘ）の状態に於いて、ゴム支点柱３から偏った体Ｈの重心をゴム支点柱３を中心に回すと体載板１と骨盤Ｋは傾斜したままの歳差運動（すりこぎ運動）になる。脊柱Ｓは首（図示せず）を中心とした逆歳差運動になる。従って、全身のまわし運動になる事を背面図で示したものである。図３（チ）は、図３（ニ）の状態に於いて、ゴム支点柱３をねじって体載板１水平に回す運動を背面図で示したものである。【００２０】  このように、請求項１の体載健康具によると、全身の骨格、全身の筋肉、内臓を力を入れることなく、自由自在に動かしてほぐすことが出来る作用がある。【００２１】  図４は、図１の体載健康具Ｔの付属品の実施例で、図４（イ）は座布団５をセットにしたもの。図４（ロ）は体載板１の上面と基台２の下面に滑り止め６を設けたもの。図４（ハ）は断面図で示したものであり、ストッパ−７とカバ−８を設けたものである。
【実施例２】
【００２２】  図５は、請求項１の一実施例であり、図１の体載健康具Ｔを椅子に組み込んで、健康椅子４２としたものであり、図５（イ）は構造を示した側面図であり、基台２は椅子の部品と共有になっている。図５（ロ）は使用例図で体載健康具Ｔを前に傾斜させた右側面図である。図５（ハ）は使用例図で体載健康具Ｔを後に傾斜させた右側面図である。
【実施例３】
【００２３】  図６は、請求項１の一実施例であり、図１の体載健康具Ｔの形状を変えて、体Ｈを横に寝た状態でお尻・腰・背中・腹・恥骨・肩・首・頭・脚で使用出来る様にしたものである。図６（イ）は形状と構成を示した斜視図であり、体載板１を上湾曲形状にして上面には胴体用のツボ突起９１、側面には首用のツボ突起９２を設けた。図６（ロ）は体載健康具Ｔに骨盤Ｋを載せた状態を示した右側面図である。図６（ハ）は体載健康具Ｔに体Ｈを載せて体Ｈの重心移動で体載健康具Ｔを作用させて、反復運動で体Ｈを振っているイラストである。
【実施例４】
【００２４】  図７は、請求項１の一実施例であり、図１の体載健康具Ｔのゴム支点柱３をススプリング支点柱１０にしたものである。
【実施例５】
【００２５】  図８は本発明の請求項２に於ける体載健康具Ｔの一実施例の斜視図で、体を載せる体載板１の下面中央部に支点球１１を設けた。尚、前記支点球とは床面と接する範囲が球体になっているものを指すと共に、空気ボ−ルや弾力ボ−ルも含む。図９は、図８の体載健康具ＴのＢ−Ｂ線断面図で構造を明示したものである。【００２６】  以上の構成からなる請求項２に於ける一実施例の体裁健康具Ｔの作用を代表的な左右傾斜の使用例で具体的に、図１０に基づいて以下説明する。図１０（イ）は、体Ｈの重心を右に移動して体重を右に移し、支点球１１を右に転がして体載板１を右に傾斜させた状態を背面図で示したものである。体載板１が右傾斜することにより骨盤Ｋも右傾斜し、脊柱Ｓも右に倒れる。バランスを取るため、頭部（図示せず）を左に移動して体を起こすと脊柱Ｓは左に曲がる。図１０（ロ）は、体Ｈの重心を左に移動して体重を左に移し、支点球１１を左に転がして体載板１を左に傾斜させた状態を背面図で示したものである。体載板１が左傾斜することこより骨盤Ｋも左傾斜し、脊柱Ｓも左に倒れる。バランスを取るため、頭部（図示せず）を右に移動して体を起こすと脊柱Ｓは右に曲がる。図１０（ハ）は、図１０（ロ）の状態に於いて、支点球１１から偏った体Ｈの重心を支点球１１の床との接点を中心に回すと体載板１と骨盤Ｋは傾斜したままの歳差運動（すりこぎ運動）になる。脊柱Ｓは首（図示せず）を中心とした逆歳差運動をする事を背面図で示したものである。
【実施例６】
【００２７】  図１１は本発明の請求項２に於ける体載健康具Ｔの一実施例の斜視図で、体を載せる体載板１の下面に体載板１の直径と同じ直径の支点球１１を設けたものである。尚、ここでの支点球とは前記同様に床面と接する範囲が球体になっているものを指し、本実施例では半球である。【００２８】  以上の構成からなる請求項２に於ける一実施例の体載健康具Ｔの作用を代表的な左右傾斜の使用例で、図１２に基づいて以下具体的に説明する。図１２（イ）は、体Ｈの重心を右に移動して体重を右に移し、支点球１１を右に転がして体裁板１を右に傾斜させた状態を背面図で示したものである。体載板１が右傾斜することにより骨盤Ｋも右傾斜し、脊柱Ｓも右に倒れる。バランスを取るため、頭部（図示せず）を左に移動して体を起こすと脊柱Ｓは左に曲がる。図１２（ロ）は、体Ｈの重心を左に移動して体重を左に移し、支点球１１を左に転がして体載板１を左に傾斜させた状態を背面図で示したものである。体載板１が左傾斜することにより骨盤Ｋも左傾斜し、脊柱Ｓも左に倒れる。バランスを取るため、頭部（図示せず）を右に移動して体を起こすと脊柱Ｓは右に曲がる。図１２（ハ）は、図１２（ロ）の状態に於いて、支点球１１から偏った体Ｈの重心を支点球１１の床との接点を中心に回すと体載板１と骨盤Ｋは傾斜したままの歳差運動（すりこぎ運動）になる。脊柱Ｓは首（図示せず）を中心とした逆歳差運動をする事を背面図で示したものである。
【実施例７】
【００２９】  図１３は本発明の請求項３に於ける体載健康具Ｔの一実施例の側面図であり、請求項２の体を載せる体載板１の下面中央部に設けた支点球１１に支点球受皿１２を設けたものである。尚、ここでの支点球１１とは支点球受皿１２の中で自由自在に動けるユニバ−サルジョイント機構になっているため、ほぼ球体に近い形状である。図１４は、図１３の体載健康具ＴのＣ−Ｃ断面図で構造を明示したものである。【００３０】  以上の構成からなる請求項３の体裁健康具Ｔの一使用例を図１５で説明すると、一般事務椅子４３の座面クッション上（図示せず）に体載健康具Ｔの基台２を載せて使用する状態を示したものである。
【実施例８】
【００３１】  図１６は本発明の請求項３の支点球１１に支点球受皿１２を設けた図１３の体載健康具Ｔにロック機構部Ｒとロック棒１３を設けてユニバ−サルジョイント機構をロックしたりフリ−にすることが出来るものである。ロックは体載健康具Ｔの体載板１を、その時点で一番、体に合っている条件で固定するものである。体が疲れたときフリ−にして、体載健康具Ｔとして使用し、体を自由自在に動かしてほぐすことができる。図１７は、図１６の体載健康具ＴのＤ−Ｄ線断面図で構造を明示したものである。
【実施例９】
【００３２】  本発明の請求項３の体載健康具Ｔを椅子に組み込んで健康椅子４２としたものである。図１８に於いて構造と代表的な前後傾斜で使用例を以下説明する。図１８（イ）は、実施例７である請求項３のロック機構Ｒ付きの体載健康具Ｔを椅子に組み込んだ健康椅子４２を一部断面図で明示した側面図である。体載健康具Ｔの基台２は椅子の部品と共有している。図１８（ロ）は、体Ｈの重心を前に移動して体重を前に移し、支点球１１を支点球受皿１２の中で前にまわして体載板１を前に傾斜させた状態を右側面図で示したものである。体載板１が前傾斜することにより骨盤Ｋも前傾斜し、脊椎Ｓも前に倒れる。バランスを取るため、頭部（図示せず）を後に移動して体を起こすと脊椎Ｓは後に曲がり、胸が反り返る。図１８（ハ）は、体Ｈの重心を後に移動して体重を後に移し、支点球１１を支点球受皿１２の中で後にまわして体載板１を後に傾斜させた状態を右側面図で示したものである。体載板１が後傾斜することにより骨盤Ｋも後傾斜し、脊椎Ｓも後に倒れる。バランスを取るため、頭部（図示せず）を前に移動して体を起こすと脊椎Ｓは前に曲がる。
ロック機構Ｒ付きの体載健康具Ｔであるので体載板１は体に合った状態で固定が出来、疲れたらロックを解除して体載板１を自由自在に動くようにして体を振り、もみほぐすことが出来る効果がある。
【図面の簡単な説明】
【００３３】
【図１】  本発明の請求項１の一実施例でゴム支点柱３を設けた体載健康具Ｔの斜視図。
【図２】  請求項１の一実施例である図１の体載健康具ＴのＡ−Ａ線断面図。
【図３】  請求項１の一実施例である図１の体載健康具Ｔの作用説明図。
【図４】  請求項１の一実施例である図１の体載健康具Ｔの付属品の実施例図。
【図５】  請求項１の一実施例である図１の体載健康具Ｔを椅子に組込んだ実施例と使用例図。
【図６】  請求項１の一実施例である図１の体載健康具Ｔの体載板１を湾曲に、基台２を長方形にした実施例の斜視図と使用例図。
【図７】  請求項１の一実施例でスプリング支点柱１０を設けた体載健康具Ｔの側面図。
【図８】  本発明の請求項２の一実施例で支点球１１を設けた体載健康具Ｔの斜視図。
【図９】  請求項２の一実施例である図８の体載健康具ＴのＢ−Ｂ線断面図。
【図１０】  請求項２の一実施例である図８の体載健康具Ｔの作用説明図。
【図１１】  請求項２の一実施例である図８の体載健康具Ｔの支点球１１を大きくして上面を体載板１と共有した斜視図。
【図１２】  請求項２の一実施例である図１１の体載健康具Ｔの作用説明図。
【図１３】  本発明の請求項３の一実施例で支点球１１に支点球受皿１２を設けた体載健康具Ｔの側面図。
【図１４】  請求項３の一実施例である図１３の体載健康具ＴのＣ−Ｃ線断面図。
【図１５】  請求項３の一実施例である図１３の体載健康具Ｔの使用例図。
【図１６】  請求項３の一実施例である図１３の体載健康具Ｔに支点球１１がコックするロック機構部Ｒを設けた側面図。
【図１７】  請求項３の一実施例である図１６の体載健康具ＴのＤ−Ｄ線断面図。
【図１８】  請求項３の一実施例である図１６の体載健康具Ｔを椅子に組込んだ実施例と使用例図であり、一部断面表示。
【図１９】  一般に普及している体載健康具の使用例図（特許文献不明）。
【符号の説明】
【００３４】  １      体載板
２      基台
３      ゴム支点柱
４１    椅子
４２    健康椅子
４３    事務椅子
５      座布団
６      滑り止め
７      ストッパ−
８      カバ−
９１    上面ツボ突起
９１    上面ツボ突起
９２    側面ツボ突起
１０    スプリング支点柱
１１    支点球
１２    支点球受皿
１３    ロック棒
１４    座台
１５    弾力ボ−ル
Ｈ      体
Ｋ      骨盤
Ｍ      乗馬マシン
Ｒ      ロック機構部
Ｓ      脊柱
Ｔ      体載健康具
【図１】
2007283044.tif 000003
【図２】
2007283044.tif 000004
【図３】
2007283044.tif 000005
【図４】
2007283044.tif 000006
【図５】
2007283044.tif 000007
【図６】
2007283044.tif 000008
【図７】
2007283044.tif 000009
【図８】
2007283044.tif 000010
【図９】
2007283044.tif 000011
【図１０】
2007283044.tif 000012
【図１１】
2007283044.tif 000013
【図１２】
2007283044.tif 000014
【図１３】
2007283044.tif 000015
【図１４】
2007283044.tif 000016
【図１５】
2007283044.tif 000017
【図１６】
2007283044.tif 000018
【図１７】
2007283044.tif 000019
【図１８】
2007283044.tif 000020
【図１９】
2007283044.tif 000021